【手続補正書】
【提出日】平成16年11月11日(2004.11.11)
【手続補正１】
【補正対象書類名】明細書
【補正対象項目名】発明の名称
【補正方法】変更
【補正の内容】
【発明の名称】テレビドアホン・システム及びその録画方法
【手続補正２】
【補正対象書類名】明細書
【補正対象項目名】特許請求の範囲
【補正方法】変更
【補正の内容】
【特許請求の範囲】
【請求項１】
カメラドアホン子機で撮影され、テレビドアホン親機に送られる映像を記録する録画手段を有するテレビドアホン・システムにおいて、前記録画手段は、前記映像の静止画像を記録する画像記録手段と、前記画像記録手段への画像の書き込みを制御する書き込み制御手段と、前記画像記録手段からの画像の読み出しを制御する読み出し制御手段と、カメラドアホン子機に設けられた呼び出しスイッチの操作を検出する呼び出し検出手段と、前記画像記録手段への画像の記録を指示する録画指示手段と、前記画像記録手段に記録された画像の再生を指示する再生指示手段と、外出状態をセットする外出設定手段と、を備え、前記書き込み制御手段が、前記録画指示手段の指示、または、前記呼び出し検出手段の検出に基づいて前記画像を書き込むとともに、少なくとも、前記外出設定手段により外出状態がセットされているときに前記呼び出し検出手段の検出に基づいて記録した画像と、外出状態がセットされていないときに前記呼び出し検出手段の検出に基づいて記録した画像とを識別できるように記録し、前記読み出し制御手段が、前記再生指示手段の指示に基づいて前記画像を読み出すとき、前記画像を識別して再生順序を調整することを特徴とするテレビドアホン・システム。
【請求項２】
前記読み出し制御手段が、前記外出設定手段により外出状態がセットされているときに記録した画像を新規画像として最初に読み出すことを特徴とする請求項１記載のテレビドアホン・システム。
【請求項３】
前記読み出し制御手段が、前記外出設定手段により外出状態がセットされているときに記録した新規画像に表示マークを付して読み出すことを特徴とする請求項２に記載のテレビドアホン・システム。
【請求項４】
前記読み出し制御手段が、前記外出設定手段により外出状態がセットされているときに記録した新規画像に、記録順を示すデータを付して読み出すことを特徴とする請求項３に記載のテレビドアホン・システム。
【請求項５】
前記外出設定手段により外出状態がセットされた状態において画像が記録されたことを表示する表示手段を具備することを特徴とする請求項１に記載のテレビドアホン・システム。
【請求項６】
前記書き込み制御手段が、前記録画指示手段の指示に基づいて記録した画像を保存画像として識別できるように記録し、前記画像への上書きを行なわないように、また、前記保存画像を保存解除手段により保存解除した場合には上書き可能画像とするように前記画像記録手段への書き込みを制御することを特徴とする請求項１に記載のテレビドアホン・システム。
【請求項７】
前記読み出し制御手段が、前記録画指示手段の指示に基づいて記録した保存画像に表示マークを付して読み出すことを特徴とする請求項６に記載のテレビドアホン・システム。
【請求項８】
カメラドアホン子機で撮影され、テレビドアホン親機に送られる映像の静止画像を記録するテレビドアホン・システムの録画方法において、外出時に記録された画像と、非外出時に記録された画像とを区別して記録し、再生時に、外出時に記録された画像を優先して再生することを特徴とするテレビドアホン・システムの録画方法。
【請求項９】
外出時に記録された前記画像に表示マークを付して再生することを特徴とする請求項８に記載のテレビドアホン・システムの録画方法。
【請求項１０】
カメラドアホン子機で撮影され、テレビドアホン親機に送られる映像の静止画像を記録するテレビドアホン・システムの録画方法において、保存すべき画像と、上書き可能な画像とを区別して記録し、再生時に、保存すべき画像に表示マークを付して再生することを特徴とするテレビドアホン・システムの録画方法。
【請求項１１】
前記読み出し制御手段が、新規画像と上書き可能画像と保存画像とをグループごとに順番に表示することを特徴とする請求項２、３、４、６または７に記載のテレビドアホン・システム。
【請求項１２】
前記書き込み制御手段が、一度見た新規画像で保存指示手段による保存操作をしなかった画像を上書き可能画像として前記画像記録手段への書き込みを制御することを特徴とする請求項１または６に記載のテレビドアホン・システム。
【請求項１３】
前記録画指示手段と前記保存指示手段および前記保存解除手段を、1つの保存ボタンにより構成したことを特徴とする請求項１２に記載のテレビドアホン・システム。
【手続補正３】
【補正対象書類名】明細書
【補正対象項目名】００３２
【補正方法】変更
【補正の内容】
【００３２】
【発明の実施の形態】
本発明の請求項１に記載の発明は、カメラドアホン子機で撮影され、テレビドアホン親機に送られる映像を記録する録画手段を有するテレビドアホン・システムにおいて、録画手段が、映像の静止画像を記録する画像記録手段と、画像記録手段への画像の書き込みを制御する書き込み制御手段と、画像記録手段からの画像の読み出しを制御する読み出し制御手段と、カメラドアホン子機に設けられた呼び出しスイッチの操作を検出する呼び出し検出手段と、画像記録手段への画像の記録を指示する録画指示手段と、画像記録手段に記録された画像の再生を指示する再生指示手段と、外出状態をセットする外出設定手段と、を備え、書き込み制御手段が、録画指示手段の指示、または、呼び出し検出手段の検出に基づいて画像を書き込むとともに、少なくとも、外出設定手段により外出状態がセットされているときに呼び出し検出手段の検出に基づいて記録した画像と、外出状態がセットされていないときに呼び出し検出手段の検出に基づいて記録した画像とを識別できるように記録し、読み出し制御手段が、再生指示手段の指示に基づいて画像を読み出すとき、画像を識別して再生順序を調整するようにしたものであり、画像の種別に応じて、再生順序を設定することができる。
【手続補正４】
【補正対象書類名】明細書
【補正対象項目名】００３３
【補正方法】変更
【補正の内容】
【００３３】
請求項２に記載の発明は、読み出し制御手段が、外出設定手段により外出状態がセットされているときに記録した画像を新規画像として最初に読み出すようにしたものであり、外出中に記録された画像を優先して見ることができる。
【手続補正５】
【補正対象書類名】明細書
【補正対象項目名】００３４
【補正方法】変更
【補正の内容】
【００３４】
請求項３に記載の発明は、読み出し制御手段が、外出設定手段により外出状態がセットされているときに記録した新規画像に表示マークを付して読み出すようにしたものであり、外出中に記録された画像がマーク付きで表示されるため、見分け易くなる。
【手続補正６】
【補正対象書類名】明細書
【補正対象項目名】００３５
【補正方法】変更
【補正の内容】
【００３５】
請求項４に記載の発明は、読み出し制御手段が、外出設定手段により外出状態がセットされているときに記録した新規画像に、記録順を示すデータを付して読み出すようにしたものであり、外出中に記録された画像の何番目が表示されているのかが分かる。
【手続補正７】
【補正対象書類名】明細書
【補正対象項目名】００３６
【補正方法】変更
【補正の内容】
【００３６】
請求項５に記載の発明は、外出設定手段により外出状態がセットされた状態において画像が記録されたことを表示する表示手段を設けたものであり、外出中に画像が記録されたことを、表示手段によって知ることができる。
【手続補正８】
【補正対象書類名】明細書
【補正対象項目名】００３７
【補正方法】変更
【補正の内容】
【００３７】
請求項６に記載の発明は、書き込み制御手段が、録画指示手段の指示に基づいて記録した画像を保存画像として識別できるように記録し、この画像への上書きを行なわないように、また、この保存画像を保存解除手段により保存解除した場合には上書き可能画像とするように画像記録手段への書き込みを制御するようにしたものであり、画像の種別に応じて保存することが可能となる。
【手続補正９】
【補正対象書類名】明細書
【補正対象項目名】００３８
【補正方法】変更
【補正の内容】
【００３８】
請求項７に記載の発明は、読み出し制御手段が、録画指示手段の指示に基づいて記録した保存画像に表示マークを付して読み出すようにしたものであり、保存する画像がマーク付きで表示されるため、見分け易くなる。
【手続補正１０】
【補正対象書類名】明細書
【補正対象項目名】００３９
【補正方法】変更
【補正の内容】
【００３９】
請求項８に記載の発明は、カメラドアホン子機で撮影され、テレビドアホン親機に送られる映像の静止画像を記録するテレビドアホン・システムの録画方法において、外出時に記録された画像と、非外出時に記録された画像とを区別して記録し、再生時に、外出時に記録された画像を優先して再生するようにしたものであり、外出中に記録された画像がどれであるか、直ぐに分かる。
【手続補正１１】
【補正対象書類名】明細書
【補正対象項目名】００４０
【補正方法】変更
【補正の内容】
【００４０】
請求項９に記載の発明は、外出時に記録された画像に表示マークを付して再生するようにしたものであり、外出中に記録された画像がどれであるか、直ぐに分かる。
【手続補正１２】
【補正対象書類名】明細書
【補正対象項目名】００４１
【補正方法】変更
【補正の内容】
【００４１】
請求項１０に記載の発明は、カメラドアホン子機で撮影され、テレビドアホン親機に送られる映像の静止画像を記録するテレビドアホン・システムの録画方法において、保存すべき画像と、上書き可能な画像とを区別して記録し、再生時に、保存すべき画像に表示マークを付して再生するようにしたものであり、保存される画像がどれであるか、直ぐに分かる。
請求項１１に記載の発明は、読み出し制御手段が、新規画像と上書き可能画像と保存画像とをグループごとに順番に表示するようにしたものであり、再生時に分かりやすくなる。
請求項１２に記載の発明は、書き込み制御手段が、一度見た新規画像で保存指示手段による保存操作をしなかった画像を上書き可能画像として画像記録手段への書き込みを制御するようにしたものであり、保存すべき画像を選別することができる。
請求項１３に記載の発明は、録画指示手段と保存指示手段および保存解除手段を、1つの保存ボタンにより構成したものであり、通話中にこのボタンを押すと録画し、新規画像再生中にこのボタンを押すと保存を指示し、保存画像再生中にこのボタンを押すと保存を解除するように動作させることにより、部品点数の削減ができる。
【手続補正１３】
【補正対象書類名】明細書
【補正対象項目名】００７１
【補正方法】変更
【補正の内容】
【００７１】
【発明の効果】
以上の説明から明らかなように、本発明のテレビドアホン・システムは、記録した画像を見分け易い形態で再生することができる。また、外出中に記録された画像を優先的に再生することができ、また、外出中に記録された画像が在ることを、表示手段を通じて知らせることができる。